(57)【要約】【課題】子供などが容易にロックスイッチを操作できないようにした安全な加熱調理器を提供する。【解決手段】吸排気口７の近傍にチャイルドロックスイッチ１４ａと中央ヒーターロックスイッチ１４ｂが配置され、これらロックスイッチ１４ａ、１４ｂは、通常、吸排気カバー７ａに覆われている。チャイルドロックスイッチ１４ａがオン状態であるとき、調理器本体１に設けられた左加熱コイル３ａと右加熱コイル４ａ、中央ヒーター５ａ、グリルヒーターの全ての加熱手段に対して、上面操作・表示部６、左前面操作部１２、右前面操作部１３の何れかの操作による加熱動作が行われないようにし、中央ヒーターロックスイッチ１４ｂがオン状態であるときは、中央ヒーター５ａのみに対して、上面操作・表示部６、左前面操作部１２、右前面操作部１３の何れかの操作による加熱動作が行われないようにしている。【選択図】図１
2010146897.tif 000002
【特許請求の範囲】
【請求項１】
調理器本体の上部に設置された天板と、
調理器本体内に収納された複数の加熱手段と、
調理器本体に設けられ前記複数の加熱手段をそれぞれ制御する操作信号を入力するための操作部と、
該操作部の操作信号に基づいて前記複数の加熱手段の加熱動作を制御する制御手段と、
調理器本体の後端部に配置されたロックスイッチと、
報知手段とを備え、
前記制御手段は、前記ロックスイッチのオン状態においては、前記操作部の操作信号に基づく前記複数の加熱手段の加熱動作を無効にすると共に、その旨を前記報知手段から報知させることを特徴とする加熱調理器。
【請求項２】
調理器本体の後端部に設けられた吸排気口と、
該吸排気口を覆う着脱自在の吸排気カバーとを備え、
前記ロックスイッチは、前記吸排気カバーに覆われていることを特徴とする請求項１記載の加熱調理器。
【請求項３】
調理器本体の上部に設置された天板と、
調理器本体内に収納された複数の加熱手段と、
調理器本体に設けられ前記複数の加熱手段をそれぞれ制御する操作信号を入力するための操作部と、
該操作部の操作信号に基づいて前記複数の加熱手段の加熱動作を制御する制御手段と、
ロックスイッチを有するリモコンと、
報知手段とを備え、
前記制御手段は、前記リモコンのロックスイッチによりオン状態であったとき、前記操作部の操作信号に基づく前記複数の加熱手段の加熱動作を無効にすると共に、その旨を前記報知手段から報知することを特徴とする加熱調理器。
【請求項４】
前記ロックスイッチは、第１のロックスイッチ及び第２のロックスイッチで構成され、
前記制御手段は、前記第１のロックスイッチのオン状態においては、前記操作部の操作信号に基づく前記複数の加熱手段の加熱動作を無効にし、前記第２のロックスイッチのオン状態においては、前記複数の加熱手段のうち前記天板の後端部側の中央に配置された１つの加熱手段の加熱動作を無効にすることを特徴とする請求項１乃至３の何れかに記載の加熱調理器。
【請求項５】
前記ロックスイッチは、静電式ロックスイッチで構成され、前記天板の裏面に接触して配置されていることを特徴とする請求項１記載の加熱調理器。
【請求項６】
前記制御手段は、前記複数の加熱手段のうち少なくとも１つの加熱手段を加熱動作させているときに、前記静電式ロックスイッチがオンすると、加熱動作中の加熱手段を停止すると共に、調理容器から調理物が吹き零れた旨を前記報知手段から報知させることを特徴とする請求項５記載の加熱調理器。
【請求項７】
前記静電式ロックスイッチは、第１の静電式ロックスイッチ及び第２の静電式ロックスイッチで構成され、
前記制御手段は、前記第１の静電式ロックスイッチのオン状態においては、前記操作部の操作信号に基づく前記複数の加熱手段の加熱動作を無効にし、前記第２の静電式ロックスイッチのオン状態においては、前記複数の加熱手段のうち前記天板の後端部側の中央に配置された１つの加熱手段の加熱動作を無効にすることを特徴とする請求項５又は６記載の加熱調理器。
【発明の詳細な説明】
【技術分野】
【０００１】
本発明は、例えば台所に配置される加熱調理器に係わり、さらに詳しくは、本調理器を操作しても加熱源の加熱動作を無効にするロック機能を備えた加熱調理器に関するものである。
【背景技術】
【０００２】
従来の加熱調理器には、電源スイッチの他にチャイルドロックスイッチを備えたものがあり、電源スイッチのみがオンされてもチャイルドロックスイッチが操作されない限り加熱調理器を操作できないようにしている（例えば、特許文献１参照）。
【０００３】
【特許文献１】特開平７−０４２９４２号公報（第２頁、図１）
【発明の開示】
【発明が解決しようとする課題】
【０００４】
前述した従来の加熱調理器は、子供のいたずら等で動作しないように、加熱調理器内に出没自在に収納された操作部にチャイルドロックスイッチが設けられているが、子供でも操作部の前面を強く押した場合、操作部が前方に引き出される可能性がある。
【０００５】
本発明は、前記のような課題を解決するためになされたもので、子供などが容易にロックスイッチを操作できないようにした安全な加熱調理器を提供することを目的とする。
【課題を解決するための手段】
【０００６】
本発明に係る加熱調理器は、調理器本体の上部に設置された天板と、調理器本体内に収納された複数の加熱手段と、調理器本体に設けられ複数の加熱手段をそれぞれ制御する操作信号を入力するための操作部と、操作部の操作信号に基づいて複数の加熱手段の加熱動作を制御する制御手段と、調理器本体の後端部に配置されたロックスイッチと、報知手段とを備え、制御手段は、ロックスイッチのオン状態においては、操作部の操作信号に基づく複数の加熱手段の加熱動作を無効にすると共に、その旨を報知手段から報知させるようにしたものである。
【発明の効果】
【０００７】
本発明においては、調理器本体の後端部に配置されたロックスイッチがオン状態であるとき、操作部の操作信号に基づく複数の加熱手段の加熱動作を無効にすると共に、その旨を報知手段から報知させるようにしたので、いたずら盛りの幼児や子供がいる家庭においては、ロックスイッチをオンにして加熱調理器を使用できない状態にした場合、報知手段を介してその設定状態を確認でき、ロックスイッチが子供の視線から見え難いため簡単に解除されるということがなくなり、安全性を確保できる。
【発明を実施するための最良の形態】
【０００８】
実施の形態１．
図１は本発明の実施の形態１に係る加熱調理器の外観を示す斜視図、図２は実施の形態１に係る加熱調理器の概略構成を示すブロック図である。
図１、２において、調理器本体１の上部には、枠体１ａによって固着された耐熱強化ガラス製の天板２が載置されている。この天板２には、鍋やフライパンなどの調理容器の載置位置を示す例えば左加熱口３、右加熱口４及び中央加熱口５が配置されている。調理器本体１内に左加熱口３に対向して収納された加熱手段の左加熱コイル３ａが設置され、右加熱口４に対向して加熱手段の右加熱コイル４ａが設置され、また、調理器本体１内に中央加熱口５に対向して収納された加熱手段の中央ヒーター５ａ（例えばラジエントヒーター）が設置されている。
【０００９】
天板２の手前側の枠体１ａには、左及び右加熱コイル３ａ、４ａと中央ヒーター５ａの操作キー、調理器本体１に収納されたグリルの操作キー、左及び右加熱コイル３ａ、４ａの火力をそれぞれ表示する火力表示器などが配置された上面操作・表示部６が設けられ、天板２の後部側には吸排気口７が設けられている。また、天板２の左加熱口３と右加熱口４の間のほぼ中央部分には、中央ヒーター５ａ、グリルなどの動作状態を表示する主表示部８が設けられている。天板２の手前側の左角部には左加熱コイル３ａの動作状態を表示する左表示部９が配置され、天板２の手前側の右角部には右加熱コイル４ａの動作状態を表示する右表示部１０が配置されている。
【００１０】
調理器本体１の前面側には、グリルの扉１１が開閉自在に設けられ、この扉１１の両側には左前面操作部１２と右前面操作部１３が配置されている。左前面操作部１２には、左加熱コイル３ａの火力を調節する火力調節ダイヤル１２ａが取り付けられている。右前面操作部１３には、右加熱コイル４ａの火力を調節する火力調節ダイヤル１３ａと電源スイッチ１３ｂが取り付けられている。火力調節ダイヤル１２ａ、１３ａは、押されると手前側に突出して火力調整可能になり、押し込まれたときはオフ状態になる。
【００１１】
左加熱コイル３ａには、図２に示すように、温度センサ２０と、交流電源を入り切りする例えばリレースイッチ２１と、交流を直流に変換する直流電源回路２２と、直流電源回路２２の出力を高周波に変換するインバータ回路２３と、インバータ回路２３のスイッチング素子（例えばＩＧＢＴ）を駆動する駆動回路２４と、リレースイッチ２１及び駆動回路２４を制御する左制御部２５とが設けられている。右加熱コイル４ａには、前記と同様に、温度センサ３０と、リレースイッチ３１と、直流電源回路３２と、インバータ回路３３と、駆動回路３４と、右制御部３５とが設けられている。また、中央ヒーター５ａには、温度センサ４０と、交流電源を入り切りする例えばリレースイッチ４１と、主制御部５０からの制御に基づいて中央ヒーター５ａの通電率を可変するヒーター通電回路４２とが設けられている。前述の温度センサ２０は、左加熱コイル３ａの中央部に位置する天板２の裏面に接触して設置され、温度センサ３０は、右加熱コイル４ａの中央部に位置する天板２の裏面に接触して設置されている。また、温度センサ４０は、中央ヒーター５ａの近傍の天板２裏面に接触して設置されている。
【００１２】
左制御部２５は、例えば、左前面操作部１２の操作を検知し、さらに、上面操作・表示部６の操作による火力設定を主制御部５０を介して検知したとき、リレースイッチ２１をオンして直流電源回路２２に交流電源を印加し、温度センサ２０の検出温度を監視しながら左加熱コイル３ａの火力が設定火力になるよう駆動回路２４を制御する。右制御部３５は、例えば、右前面操作部１３の操作を検知し、さらに、上面操作・表示部６の操作による火力設定を主制御部５０を介して検知したとき、リレースイッチ３１をオンして直流電源回路３２に交流電源を印加し、温度センサ３０の検出温度を監視しながら右加熱コイル４ａの火力が設定火力になるよう駆動回路３４を制御する。
【００１３】
主制御部５０は、左加熱コイル３ａに通電が行われているとき、左加熱コイル３ａの動作状態を左表示部９に表示し、右加熱コイル４ａに通電が行われているとき、右加熱コイル４ａの動作状態を右表示部１０に表示する。また、主制御部５０は、上面操作・表示部６の操作から中央ヒーター５ａへの通電を検知したとき、リレースイッチ４１をオンしてヒーター通電回路４２に交流電源を印加し、温度センサ４０の検出温度を監視しながらヒーター通電回路４２を制御すると共に、主表示部８に中央ヒーター５ａの動作状態を表示する。
【００１４】
吸排気口７の近傍には、第１のロックスイッチであるチャイルドロックスイッチ１４ａと第２のロックスイッチである中央ヒーターロックスイッチ１４ｂが配置されている。これらロックスイッチ１４ａ、１４ｂは、通常、吸排気カバー７ａに覆われており、主制御部５０と接続されている（図２参照）。チャイルドロックスイッチ１４ａは、調理器本体１に設けられた左加熱コイル３ａと右加熱コイル４ａ、中央ヒーター５ａ、グリルヒーター（図示せず）の全ての加熱手段に対して、上面操作・表示部６、左前面操作部１２、右前面操作部１３の何れかの操作による加熱動作が行われないようにするスイッチである。中央ヒーターロックスイッチ１４ｂは、中央ヒーター５ａのみに対して、上面操作・表示部６、左前面操作部１２、右前面操作部１３の何れかの操作による加熱動作が行われないようにするスイッチである。
【００１５】
前述した右前面操作部１３には、例えばＬＥＤよりなるチャイルドロック表示ランプ１５ａ及び中央ヒーターロック表示ランプ１５ｂ（報知手段）が設けられている。チャイルドロック表示ランプ１５ａは、チャイルドロックスイッチ１４ａがオンされているときに点灯し、中央ヒーターロック表示ランプ１５ｂは、中央ヒーターロックスイッチ１４ｂがオンされているときに点灯し、使用者にロックされている旨を知らせる。なお、これらロック表示ランプ１５ａ、１５ｂは、電源スイッチ１３ｂがオフされると消灯する。
【００１６】
前述の主制御部５０は、動作説明の際に詳述するが、チャイルドロックスイッチ１４ａのオンを検知すると、その旨を右制御部３５に通知し、右前面操作部１３上のチャイルドロック表示ランプ１５ａを点灯させる。また、中央ヒーターロックスイッチ１４ｂのオンを検知したときは、その旨を右制御部３５に通知し、右前面操作部１３上の中央ヒーターロック表示ランプ１５ｂを点灯させ、チャイルドロックスイッチ１４ａ或いは中央ヒーターロックスイッチ１４ｂの何れかが操作されたかの判定は、電圧の入力経路から行っている。
【００１７】
前記のように構成された加熱調理器において、先ず、チャイルドロックスイッチ１４ａがオンされた場合の動作を説明する。
電源スイッチ１３ｂのオンにより、主制御部５０、左制御部２５、右制御部３５などに制御電源が印加されると、主制御部５０は、チャイルドロックスイッチ１４ａ又は中央ヒーターロックスイッチ１４ｂの何れかがオンされているかどうかを判定する。主制御部５０は、両方のスイッチ１４ａ、１４ｂがオフ状態であったとき、左前面操作部１２の操作に基づく左制御部２５からの操作信号、右前面操作部１３の操作に基づく右制御部３５からの操作信号、上面操作・表示部６からの操作信号の何れかが入力されるまで待機する。
【００１８】
一方、主制御部５０は、制御電源が印加されたときにチャイルドロックスイッチ１４ａがオン状態であった場合、また、待機状態のときにチャイルドロックスイッチ１４ａのオンを検知したときは、その旨を右制御部３５に通知し、右前面操作部１３上のチャイルドロック表示ランプ１５ａを点灯させる。この状態において、主制御部５０は、左制御部２５からの操作信号の入力を検知したときは、左制御部２５に対して左前面操作部１２からの操作信号に基づく加熱動作を無効にする通知を出し、また、右制御部３５からの操作信号の入力を検知したときは、右制御部３５に対して右前面操作部１３のから操作信号に基づく加熱動作を無効にする通知を出し、さらに、上面操作・表示部６からの操作信号を検知したときは、その操作信号に基づく加熱動作を無効にする。
【００１９】
次に、中央ヒーターロックスイッチ１４ｂがオンされた場合の動作を説明する。
前述したように、電源スイッチ１３ｂのオンにより、主制御部５０、左制御部２５、右制御部３５などに制御電源が印加されると、主制御部５０は、チャイルドロックスイッチ１４ａ又は中央ヒーターロックスイッチ１４ｂの何れかがオンされているかどうかを判定する。主制御部５０は、両方のスイッチ１４ａ、１４ｂがオフ状態であったとき、前述したように操作信号が入力されるまで待機する。
【００２０】
一方、主制御部５０は、制御電源が印加されたときに中央ヒーターロックスイッチ１４ｂがオン状態であった場合、また、待機状態のときに中央ヒーターロックスイッチ１４ｂのオンを検知したときは、その旨を右制御部３５に通知し、右前面操作部１３上の中央ヒーターロック表示ランプ１５ｂを点灯させる。この状態において、主制御部５０は、例えば右制御部３５からの操作信号の入力を検知したときは有効と判定して、操作信号に基づく加熱動作を右制御部３５と共に行う。また、上面操作・表示部６の操作信号に基づく中央ヒーター５ａへの通電指示を検知したときは、その指示を無効にする。
【００２１】
以上のように実施の形態１によれば、チャイルドロックスイッチ１４ａ及び中央ヒーターロックスイッチ１４ｂを、調理器本体１の後端部側に配置された吸排気口７の近傍に設置し、しかも吸排気カバー７ａで覆って見えないようにしているので、いたずら盛りの幼児や子供がいる家庭においては、チャイルドロックスイッチ１４ａをオンして加熱調理器を使用できない状態にした場合、簡単に解除されるということがなくなり、安全性を確保できる。また、中央ヒーター５ａを使用したくない家庭においては、中央ヒーターロックスイッチ１４ｂをオンしておくことで、うっかり操作により中央ヒーター５ａに電源が入ってしまうということがなくなり、このため、中央ヒーター５ａ周辺の天板上にレジ袋など燃えやすい物を置いたままであってもうっかり操作による発火を防止できる。
【００２２】
実施の形態１では、加熱手段の使用を無効にしてるとき、ＬＥＤのチャイルドロック表示ランプ１５ａや中央ヒーターロック表示ランプ１５ｂを点灯するようにしたが、これに代えて、音声やブザーでその旨を報知するようにしても良い。
【００２３】
実施の形態２．
本実施の形態は、遠隔操作で左加熱コイル３ａと右加熱コイル４ａ、中央ヒーター５ａ、グリルヒーターの全加熱手段の加熱動作、中央ヒーター５ａのみの加熱動作を行えないようにしたものである。
図３は本発明の実施の形態２に係る加熱調理器の外観を示す斜視図、図４は実施の形態２に係る加熱調理器の概略構成を示すブロック図である。なお、実施の形態１で説明した図１及び図２と同様の部分には同じ符号を付している。
【００２４】
図３、４において、本実施の形態の加熱調理器は、チャイルドロックスイッチ（第１のロックスイッチ）及び中央ヒーターロックスイッチ（第２のロックスイッチ）を有するリモコン１７と、リモコン１７からの赤外線信号を受光する受光部１６とを備えている。リモコン１７は、チャイルドロックスイッチがオンされたとき、調理器本体１に設けられた左加熱コイル３ａと右加熱コイル４ａ、中央ヒーター５ａ、グリルヒーターの全加熱手段の加熱動作を無効にする赤外線信号を送信し、中央ヒーターロックスイッチがオンされたときは、中央ヒーター５ａのみの加熱動作を無効にする赤外線信号を送信する。受光部１６は、調理器本体１の前面に設けられた例えば右前面操作部１３に設置され、リモコン１７からの赤外線信号を電気信号に変換して主制御部５０に出力する。この主制御部５０は、その電気信号が入力されたときに、その情報（オン情報）をメモリ（図示せず）に記録する。メモリに記録された情報は電源スイッチ１３ｂがオフされても保持される。
【００２５】
前記のように構成された加熱調理器において、先ず、リモコン１７のチャイルドロックスイッチがオンされた場合の動作を説明する。
電源スイッチ１３ｂのオンにより、主制御部５０、左制御部２５、右制御部３５などに制御電源が印加されると、主制御部５０は、リモコン１７の操作によるチャイルドロックスイッチ又は中央ヒーターロックスイッチの何れかのオン情報がメモリに記録されているかどうかを判定する。主制御部５０は、メモリにオン情報が記録されていなかった場合、左前面操作部１２の操作に基づく左制御部２５からの操作信号、右前面操作部１３の操作に基づく右制御部３５からの操作信号、上面操作・表示部６からの操作信号の何れかが入力されるまで待機する。
【００２６】
一方、主制御部５０は、制御電源が印加されたときにメモリにチャイルドロックスイッチのオン情報が記録されていた場合、また、待機状態のときにリモコン１７の操作によるチャイルドロックスイッチのオンを受光部１６を介して検知したときは、その旨を右制御部３５に通知し、右前面操作部１３上のチャイルドロック表示ランプ１５ａを点灯させる。この状態において、主制御部５０は、左制御部２５からの操作信号の入力を検知したとき、左制御部２５に対して左前面操作部１２からの操作信号に基づく加熱動作を無効にする通知を出し、また、右制御部３５からの操作信号の入力を検知したときは、右制御部３５に対して右前面操作部１３からの操作信号に基づく加熱動作を無効にする通知を出し、さらに、上面操作・表示部６からの操作信号を検知したときは、その操作信号に基づく加熱動作を無効にする。
【００２７】
次に、リモコン１７の中央ヒーターロックスイッチがオンされた場合の動作を説明する。
前述したように、電源スイッチ１３ｂのオンにより、主制御部５０、左制御部２５、右制御部３５などに制御電源が印加されると、主制御部５０は、リモコン１７の操作によるチャイルドロックスイッチ又は中央ヒーターロックスイッチの何れかのオン情報がメモリに記録されているかどうかを判定する。主制御部５０は、メモリにオン情報が記録されていなかった場合、前述したように操作信号が入力されるまで待機する。
【００２８】
一方、主制御部５０は、制御電源が印加されたときにメモリに中央ヒーターロックスイッチのオン情報が記録されていた場合、また、待機状態のときにリモコン１７の操作による中央ヒーターロックスイッチのオンを受光部１６を介して検知したときは、その旨を右制御部３５に通知し、右前面操作部１３上の中央ヒーターロック表示ランプ１５ｂを点灯させる。この状態において、主制御部５０は、例えば右制御部３５からの操作信号の入力を検知したときは有効と判定して、操作信号に基づく加熱動作を右制御部３５と共に行う。また、上面操作・表示部６の操作による中央ヒーター５ａへの通電指示を検知したときは、その指示を無効にする。
【００２９】
以上のように実施の形態２によれば、リモコン１７によって加熱調理器の全加熱手段のの加熱動作の無効、また、中央ヒーターのみの加熱動作の無効を設定できるようにしたので、いたずら盛りの幼児や子供がいる家庭においては、加熱調理器がいたずらで操作されても、加熱動作の無効を容易に解除されることがなくなり、安全性を確保できる。また、中央ヒーター５ａを使用したくない家庭においては、リモコン１７で中央ヒーターのみの加熱動作の無効を設定しておくことで、うっかり操作により中央ヒーター５ａに電源が入ってしまうということがなくなり、このため、中央ヒーター５ａ周辺の天板上にレジ袋など燃えやすい物を置いたままであってもうっかり操作による発火を防止できる。
【００３０】
実施の形態２では、加熱手段の使用を無効にしてるとき、ＬＥＤのチャイルドロック表示ランプ１５ａや中央ヒーターロック表示ランプ１５ｂを点灯するようにしたが、これに代えて、音声でその旨を報知するようにしても良い。
【００３１】
実施の形態３．
本実施の形態は、静電式スイッチで左加熱コイル３ａと右加熱コイル４ａ、中央ヒーター５ａ、グリルヒーターの全加熱手段の加熱動作、中央ヒーター５ａのみの加熱動作を行えないようにしたものである。
図５は本発明の実施の形態３に係る加熱調理器の外観を示す斜視図、図６は実施の形態３に係る加熱調理器の概略構成を示すブロック図である。なお、実施の形態１で説明した図１及び図２と同様の部分には同じ符号を付している。
【００３２】
図５、６において、本実施の形態の加熱調理器は、天板２の後端部側の角部裏面に貼り付けられた静電式チャイルドロックスイッチ１８ａ（第１の静電式ロックスイッチ）と静電式中央ヒーターロックスイッチ１８ｂ（第２の静電式ロックスイッチ）を備えている。天板２の静電式チャイルドロックスイッチ１８ａ側の面（裏面）には、例えば「チャイルドロック」が印字され、また、天板２の中央ヒーターロックスイッチ１８ｂ側の面（裏面）には、例えば「中央ヒーターロック」が印字され、天板の上方から確認できるようになっている。静電式チャイルドロックスイッチ１８ａと静電式中央ヒーターロックスイッチ１８ｂは、例えば、指などの導電体の近接によって生じる静電容量の変化を検出する銅箔の電極と、静電容量の変化量に基づいて電圧を生成し主制御部５０に出力する電圧変換部１９ａ、１９ｂとで構成されている。
【００３３】
主制御部５０は、静電容量の変化に基づく電圧が予め設定された閾値を超えたときにオンされたと判定し、オン情報をメモリに記録する。この状態において再び閾値を超える電圧を検知したときはオフされたと判定してオン情報を削除する。静電式チャイルドロックスイッチ１８ａ或いは静電式中央ヒーターロックスイッチ１８ｂの何れかが操作されたかの判定は、電圧の入力経路から行っている。また、主制御部５０は、静電式チャイルドロックスイッチ１８ａのオンを検知したときにチャイルドロック表示ランプ１５ａを点灯し、静電式中央ヒーターロックスイッチ１８ｂのオンを検知したときに中央ヒーターロック表示ランプ１５ｂを点灯する。メモリに記録されたオン情報は電源スイッチ１３ｂがオフされても保持される。
【００３４】
さらに、主制御部５０は、左加熱コイル３ａ、右加熱コイル４ａ、中央ヒーター５ａ及びグリルヒーターのうち何れかの加熱手段が加熱動作中に、閾値を超える電圧を検知すると、調理容器からの吹き零れと判定する。この場合、右制御部３５にその旨を通知してブザー１５ｃを鳴動させると共に、加熱動作中の加熱手段を停止させる。
【００３５】
前記のように構成された加熱調理器において、先ず、静電式チャイルドロックスイッチ１８ａがオンされた場合の動作を説明する。
電源スイッチ１３ｂのオンにより、主制御部５０、左制御部２５、右制御部３５などに制御電源が印加されると、主制御部５０は、静電式チャイルドロックスイッチ１８ａ又は静電式中央ヒーターロックスイッチ１８ｂの何れかのオン情報がメモリに記録されているかどうかを判定する。主制御部５０は、メモリにオン情報が記録されていなかった場合、左前面操作部１２の操作に基づく左制御部２５からの操作信号、右前面操作部１３の操作に基づく右制御部３５からの操作信号、上面操作・表示部６からの操作信号の何れかが入力されるまで待機する。
【００３６】
一方、主制御部５０は、制御電源が印加されたときにメモリに静電式チャイルドロックスイッチ１８ａのオン情報が記録されていた場合、その旨を右制御部３５に通知し、右前面操作部１３上のチャイルドロック表示ランプ１５ａを点灯させる。また、待機状態のときに静電式チャイルドロックスイッチ１８ｂのオン操作による電圧が入力されると、入力電圧が閾値を超えているかどうかを判定し、入力電圧が閾値を超えているときは、その旨を右制御部３５に通知し、右前面操作部１３上のチャイルドロック表示ランプ１５ａを点灯させる。
【００３７】
この状態において、主制御部５０は、左制御部２５からの操作信号の入力を検知したとき、左制御部２５に対して左前面操作部１２からの操作信号に基づく加熱動作を無効にする通知を出し、また、右制御部３５からの操作信号の入力を検知したときは、右制御部３５に対して右前面操作部１３からの操作信号に基づく加熱動作を無効にする通知を出し、さらに、上面操作・表示部６からの操作信号を検知したときは、その操作信号の入力に基づく加熱動作を無効にする。
【００３８】
次に、静電式中央ヒーターロックスイッチ１８ｂがオンされた場合の動作を説明する。
前述したように、電源スイッチ１３ｂのオンにより、主制御部５０、左制御部２５、右制御部３５などに制御電源が印加されると、主制御部５０は、静電式チャイルドロックスイッチ１８ａ又は静電式中央ヒーターロックスイッチ１８ｂの何れかのオン情報がメモリに記録されているかどうかを判定する。主制御部５０は、メモリにオン情報が記録されていなかった場合、前述したように操作信号が入力されるまで待機する。
【００３９】
一方、主制御部５０は、制御電源が印加されたときにメモリに静電式中央ヒーターロックスイッチ１８ｂのオン情報が記録されていた場合、その旨を右制御部３５に通知し、右前面操作部１３上のチャイルドロック表示ランプ１５ａを点灯させる。また、待機状態のときに静電式中央ヒーターロックスイッチ１８ｂのオン操作による電圧が入力されると、入力電圧が閾値を超えているかどうかを判定し、入力電圧が閾値を超えているときは、その旨を右制御部３５に通知し、右前面操作部１３上のチャイルドロック表示ランプ１５ａを点灯させる。
【００４０】
この状態において、主制御部５０は、例えば右制御部３５からの操作信号の入力を検知したときは有効と判定して、操作信号に基づく加熱動作を右制御部３５と共に行う。また、上面操作・表示部６の操作による中央ヒーター５ａへの通電指示を検知したときは、その指示を無効にする。
【００４１】
次に、加熱調理器を使用しているときに調理容器から吹き零れがあった場合の動作を説明する。
左加熱コイル３ａ、右加熱コイル４ａ及び中央ヒーター５ａのうち何れかの加熱手段により調理容器から調理物が吹き溢れて天板２上に流れ、静電式チャイルドロックスイッチ１８ａや静電式中央ヒーターロックスイッチ１８ｂを覆うと、例えば、静電式チャイルドロックスイッチ１８ａの静電容量が変化する。この時、電圧変換部１９ａは、その変化量に基づいて電圧を生成し主制御部５０に出力する。主制御部５０は、入力された電圧が閾値を超えているかどうかを判定し、入力電圧が閾値を超えているときは、右制御部３５にその旨を通知してブザー１５ｃを鳴動させると共に、加熱動作中の加熱手段を停止させる。
【００４２】
以上のように実施の形態３によれば、静電式チャイルドロックスイッチ１８ａと静電式中央ヒーターロックスイッチ１８ｂを、調理器本体１の天板２の角部裏面に設置しているので、いたずら盛りの幼児や子供がいる家庭においては、静電式チャイルドロックスイッチ１８ａをオンして加熱調理器を使用できない状態にした場合、簡単に解除されるということがなくなり、安全性を確保できる。また、中央ヒーター５ａを使用したくない家庭においては、静電式中央ヒーターロックスイッチ１８ｂをオンしておくことで、うっかり操作により中央ヒーター５ａに電源が入ってしまうということがなくなり、このため、中央ヒーター５ａ周辺の天板２上にレジ袋など燃えやすい物を置いたままであってもうっかり操作による発火を防止できる。
【００４３】
さらに、左加熱コイル３ａ、右加熱コイル４ａ及び中央ヒーター５ａのうち何れかの加熱手段により調理容器を加熱しているときに調理物の吹き溢れにより、静電式チャイルドロックスイッチ１８ａと静電式中央ヒーターロックスイッチ１８ｂのうち何れか一方、又は両方のロックスイッチ１８ａ、１８ｂの静電容量が変化したとき、ブザー１５ｃを鳴動させると共に、加熱動作中の加熱手段を停止させるようにしたので、より安全性を確保できるという効果がある。
【００４４】
実施の形態３では、加熱手段を加熱動作させているときに、静電式チャイルドロックスイッチ１８ａや、静電式中央ヒーターロックスイッチ１８ｂにより調理物の吹き零れを検知した際、ブザー１５ｃを鳴動させるようにしたが、その旨を音声で報知するようにしても良い。
【図面の簡単な説明】
【００４５】
【図１】本発明の実施の形態１に係る加熱調理器の外観を示す斜視図である。
【図２】実施の形態１に係る加熱調理器の概略構成を示すブロック図である。
【図３】本発明の実施の形態２に係る加熱調理器の外観を示す斜視図である。
【図４】実施の形態２に係る加熱調理器の概略構成を示すブロック図である。
【図５】本発明の実施の形態３に係る加熱調理器の外観を示す斜視図である。
【図６】実施の形態３に係る加熱調理器の概略構成を示すブロック図である。
【符号の説明】
【００４６】
１  調理器本体、１ａ  枠体、２  天板、３  左加熱口、３ａ  左加熱コイル、４  右加熱口、４ａ  右加熱コイル、５  中央加熱口、５ａ  中央ヒーター、６  上面操作・表示部、７  吸排気口、７ａ  吸排気カバー、８  主表示部、９  左表示部、１０  右表示部、１２  左前面操作部、１３  右前面操作部、１３ｂ  電源スイッチ、１４ａ  チャイルドロックスイッチ、１４ｂ  中央ヒーターロックスイッチ、１５ａ  チャイルドロック表示ランプ、１５ｂ  中央ヒーターロック表示ランプ、１５ｃ  ブザー、１６  受光部、
１７  リモコン、１８ａ  静電式チャイルドロックスイッチ、１８ｂ  静電式中央ヒーターロックスイッチ、１９ａ，１９ｂ  電圧変換部。
【図１】
2010146897.tif 000003
【図２】
2010146897.tif 000004
【図３】
2010146897.tif 000005
【図４】
2010146897.tif 000006
【図５】
2010146897.tif 000007
【図６】
2010146897.tif 000008